(57)【要約】【課題】合成樹脂または天然・合成ゴム製の袋状の人工肛門用パウチの使用を繰返し可能とし、かつ、水洗便所への投棄を容易にしたこと。【解決手段】合成樹脂または天然・合成ゴム製の袋状の人工肛門用パウチ３０の内側に、直接、排泄物を溜める紙製の人工肛門用パウチ内袋１０を設けたものであるから、高価な合成樹脂または天然・合成ゴム製の袋状の人工肛門用パウチ３０を取替える回数を少なくして、紙製の人工肛門用パウチ内袋１０のみの取替えで、清潔感を保つことができる。また、取替えた紙製の人工肛門用パウチ内袋１０は、８時間以上排泄物の液体成分が染みだすことのないものであり、かつ、水洗便所に流したとき、大量の水で解かされて繊維に分解されるものであるから、通常の水洗便所に廃棄が可能となる。【選択図】        図３
2004215913.tif 000002
【特許請求の範囲】
【請求項１】
人工肛門に取付けて排泄物を収容する合成樹脂または天然・合成ゴム製の袋状の人工肛門用パウチに収容され、人工肛門に取付けて直接排泄物を溜める紙製の人工肛門用パウチ内袋において、
前記人工肛門用パウチ内袋は、全体を紙で袋状に形成すると共に、少なくとも８時間以上排泄物の液体成分が染みだすことなく、かつ、水中では溶けるようにした本体部と、
前記人工肛門用パウチ内の人工肛門に挿入され、前記本体部に形成した開口部とを具備することを特徴とする人工肛門用パウチ内袋。
【請求項２】
人工肛門に取付けて排泄物を収容する合成樹脂または天然・合成ゴム製の袋状の人工肛門用パウチに収容され、人工肛門に取付けて直接排泄物を溜める紙製の人工肛門用パウチ内袋において、
前記人工肛門用パウチ内袋は、全体を紙で袋状に形成すると共に、少なくとも８時間以上排泄物の液体成分が染みだすことなく、かつ、水中では溶けるようにした本体部と、
前記人工肛門用パウチ内の人工肛門に挿入され、前記本体部に形成した開口部と、
前記開口部の周囲に環状に形成した接着層とを具備することを特徴とする人工肛門用パウチ内袋。
【請求項３】
前記人工肛門に挿入される前記本体部に形成した開口部は、本体部の中央部から上に１／５の位置の範囲内に形成したことを特徴とする請求項１または請求項２に記載の人工肛門用パウチ内袋。
【請求項４】
前記全体を紙で袋状に形成した本体部は、その厚み方向に変位可能なように折り畳み代を形成したことを特徴とする請求項１乃至請求項３のいずれか１つに記載の人工肛門用パウチ内袋。
【請求項５】
前記全体を紙で袋状に形成した本体部は、水溶性バインダーを用いて抄いた紙を使用したことを特徴とする請求項１乃至請求項４のいずれか１つに記載の人工肛門用パウチ内袋。
【請求項６】
前記全体を紙で袋状に形成した本体部は、紙面に対して水溶性バインダーをコーティングしてなることを特徴とする請求項１乃至請求項５のいずれか１つに記載の人工肛門用パウチ内袋。
【請求項７】
前記全体を紙で袋状に形成した本体部は、上部１／１０以上の範囲を紙面に対してコーティングされていないことを特徴とする請求項６に記載の人工肛門用パウチ内袋。
【請求項８】
前記全体を紙で袋状に形成した本体部は、前記開口部以外に開放部分を有していないことを特徴とする請求項１乃至請求項７のいずれか１つに記載の人工肛門用パウチ内袋。
【請求項９】
前記全体を紙で袋状に形成した本体部は、防臭機能を有することを特徴とする請求項１乃至請求項８のいずれか１つに記載の人工肛門用パウチ内袋。
【請求項１０】
前記全体を紙で袋状に形成した本体部は、多層紙で形成したことを特徴とする請求項１乃至請求項９のいずれか１つに記載の人工肛門用パウチ内袋。
【発明の詳細な説明】
【０００１】
【発明の属する技術分野】
本発明は、人工肛門から排泄する排泄物を直接溜める人工肛門用パウチ内袋に関するもので、人工肛門に取付けて排泄物を収容する合成樹脂または天然ゴム製または合成ゴム製の袋状の人工肛門用パウチを直接使用することなく、直接排泄物を収容する人工肛門用パウチ内袋に関するものである。
【０００２】
【従来の技術】
【先行文献１】特開２００２−１１３０２７号公報
特開２００２−１１３０２７号公報は、人工肛門に取り付けて排泄物を溜める袋状の人工肛門用パウチにおいて、人工肛門に接続される開口部と、パウチ内に溜まるガスを排気するための排気装置の取付孔とを設け、パウチ内部に不織布を配して前記開口部を含む空間と前記取付孔を含む空間とに仕切るようにするとともに、前記不織布で仕切られた取付孔を含む空間において液体不透過性で且つ通気性を有する部材により前記取付孔をパウチ内側から覆うようにした構造を有するものである。
【０００３】
前記パウチ内部に配した不織布の下方端の一部がパウチ本体のシートとは融着せずに開口部を形成しているから、人工肛門からパウチ内に流入した排泄物は、パウチ内部に配置した不織布により、前記人工肛門に接続される開口部を含む空間から前記排気装置の取付孔を含む空間への流入が阻止される。また、発生したガスは、上記不織布を通過するために、人工肛門に接続される開口部を含む空間から排気装置の取付孔を含む空間へ流入して排気される。このとき、排気装置の取付孔の近傍に除臭剤を配置しておくと、パウチ内のガスは除臭されて外部に放出されるが、パウチ内の排泄物が直接に除臭剤に触れることがないので、除臭剤の目詰まりや脱臭効力の減退を防止する。また、排泄物中に含まれる水分については、上記不織布より染み出て排気装置の取付孔を含む空間に溜まる場合もあるが、取付孔は液体不透過性で、かつ、通気性を有する部材によりパウチ内側から覆われていてガスの通過は妨げられないが水分の流入は完全に阻止される。
【０００４】
したがって、水分が直接除臭剤に触れることもなければ排気装置側へ逆流してくることもないので、パウチのガス抜きは良好に行える。また、不織布の下方端の一部がパウチ本体のシートとは融着せずに開口部を形成しておくと、排気装置の取付孔を含む空間に溜まった水分が人工肛門に接続される開口部を含む空間へ還流する。
【０００５】
【発明が解決しようとする課題】
このように、上記公報に掲載の技術は、人工肛門に取り付けて排泄物を溜める合成樹脂または合成ゴム製の袋状の人工肛門用パウチを直接使用するものであるから、その合成樹脂または合成ゴム製の袋状の人工肛門用パウチ内に溜まるガスを排気するための排気装置を取り付けると、当該合成樹脂または合成ゴム製の袋状の人工肛門用パウチを１回毎に捨てなければならないから、高価な商品の使用となり、その経済性が問題となる。
【０００６】
そこで、本発明は、合成樹脂または合成ゴム製の袋状の人工肛門用パウチの使用を繰返し可能とし、かつ、水洗便所への投棄を容易にした人工肛門用パウチ内袋の提供を課題とするものである。
【０００７】
【課題を解決するための手段】
請求項１の発明にかかる人工肛門用パウチ内袋は、人工肛門に取付けて排泄物を収容する合成樹脂または天然・合成ゴム製の袋状の人工肛門用パウチに収容され、人工肛門に取付けて直接排泄物を溜める紙製の人工肛門用パウチ内袋において、前記人工肛門用パウチ内袋は、全体を紙で袋状に形成すると共に、少なくとも８時間以上排泄物の液体成分が染みだすことなく、かつ、水中では溶けるようにした本体部と、前記人工肛門用パウチ内の人工肛門に挿入され、前記本体部に形成した開口部とを具備するものである。
【０００８】
したがって、合成樹脂または天然・合成ゴム製の袋状の人工肛門用パウチ内側に、直接、排泄物を溜める紙製の人工肛門用パウチ内袋を設けたものであるから、高価な合成樹脂または天然・合成ゴム製の袋状の人工肛門用パウチを取替える回数を少なくして、紙製の人工肛門用パウチ内袋のみの取替えで、清潔感を保つことができる。また、取替えた紙製の人工肛門用パウチ内袋は、排泄物の液体成分が８時間以上染みだすことのないようにし、かつ、水洗便所に流したとき、大量の水で解かされて繊維に分解されるから、通常の水洗便所への廃棄が可能となる。
【０００９】
ところで、上記紙製の人工肛門用パウチ内袋は、全体を紙で形成すると共に、少なくとも８時間以上排泄物の液体成分が染みだすことのないようにした本体部は、水によって分解され繊維に戻るものであればよく、特に、紙は植物繊維（セルロース）を多く使用したシートであることが望ましい。上記人工肛門用パウチ内の人工肛門に挿入され、前記本体部に形成した開口部は、中央よりも上方向に配設するのが好ましいが、結果的に、合成樹脂または天然・合成ゴム製の袋状の人工肛門用パウチに収容できるようになればよい。
【００１０】
請求項２の発明にかかる人工肛門用パウチ内袋は、前記人工肛門用パウチ内袋は、全体を紙で袋状に形成すると共に、少なくとも８時間以上、排泄物の液体成分が染みだすことなく、かつ、水中では溶けるようにした本体部と、前記人工肛門用パウチ内の人工肛門に挿入され、前記本体部に形成した開口部と、前記開口部の周囲に環状に形成した接着層とを具備するものである。
【００１１】
したがって、合成樹脂または天然・合成ゴム製の袋状の人工肛門用パウチ内側に、直接、排泄物を溜める紙製の人工肛門用パウチ内袋を設けたものであるから、高価な合成樹脂または天然・合成ゴム製の袋状の人工肛門用パウチを取替える回数を少なくして、紙製の人工肛門用パウチ内袋のみの取替えで、清潔感を保つことができる。また、取替えた紙製の人工肛門用パウチ内袋は、排泄物の液体成分が８時間以上染みだすことのないようにし、かつ、水洗便所に流したとき、大量の水で解かされて繊維に分解されるから、水洗便所への通常の廃棄が可能となる。
【００１２】
ところで、上記紙製の人工肛門用パウチ内袋は、全体を紙で形成すると共に、少なくとも８時間以上排泄物の液体成分が染みだすことのないようにした本体部は、水によって分解され繊維に戻るものであればよく、特に、紙は植物繊維（セルロース）を多く使用したシートであることが望ましい。上記人工肛門用パウチ内の人工肛門に挿入され、前記本体部に形成した開口部は、中央よりも上方向に配設するのが好ましいが、結果的に、合成樹脂または天然・合成ゴム製の袋状の人工肛門用パウチに収容できるようになればよい。また、上記開口部の周囲に環状に形成した接着層は、合成樹脂または天然・合成ゴム製の袋状の人工肛門用パウチ内側で接合することにより、密着性をよくし、漏れの確率を低くすることができる。
【００１３】
請求項３の発明にかかる人工肛門用パウチ内袋の前記人工肛門に挿入される前記本体部に形成した開口部は、本体部の中央部から上に１／５の位置の範囲内に形成したものであるから、人工肛門用パウチ内袋が最も膨らみやすくなり、容易に排泄物を収容できる。
【００１４】
請求項４の発明にかかる人工肛門用パウチ内袋の前記全体を紙で袋状に形成した本体部は、その厚み方向に変位可能なように折り畳み代を形成したものであるから、本来の形が立体形状であり、人工肛門用パウチ内袋が膨らみやすくなり、容易に排泄物を収容できる。
【００１５】
請求項５の発明にかかる人工肛門用パウチ内袋の前記全体を紙で袋状に形成した本体部は、水溶性バインダーを用いて抄いた紙を使用したものであるから、排泄物の水分では溶解しないが、大量の水で溶解され、下水に流すことができる。
【００１６】
請求項６の発明にかかる人工肛門用パウチ内袋の前記全体を紙で袋状に形成した本体部は、紙面に対して水溶性バインダーをコーティングしてなるものであるから、水分量が多いと解けて流れ、繊維成分に分解されるから水洗便所に流したとき、通常のトイレ紙と同様に処理できる。
【００１７】
請求項７の発明にかかる人工肛門用パウチ内袋の前記全体を紙で袋状に形成した本体部は、上部１／１０以上の範囲を紙面に対してコーティングしてないものであるから、ガス抜きが自然な状態で形成することができる。
【００１８】
請求項８の発明にかかる人工肛門用パウチ内袋の前記全体を紙で袋状に形成した本体部は、前記開口部以外に開放部分を有していないから、取扱いに不慣れな者でも合成樹脂または天然・合成ゴム製の袋状の人工肛門用パウチからの取出しを確実に行うことができる。
【００１９】
請求項９の発明にかかる人工肛門用パウチ内袋の全体を紙で袋状に形成した本体部は、防臭機能を有するものであるから、自己及び第三者に不快感を与えることがない。この防臭機能は、袋状に形成した本体部の紙自体及び袋状に形成した本体部に防臭剤を収納した形態として対応できる。
【００２０】
請求項１０の発明にかかる人工肛門用パウチ内袋の全体を紙で袋状に形成した本体部は、多層紙で形成したものであるから、層毎に特性を強化できるから防臭性及び水溶性の特性をよくすることができる。
【００２１】
【発明の実施の形態】
以下、本発明の実施の形態について説明する。
【００２２】
図１は本発明の実施の形態１の人工肛門用パウチ内袋の正面図、図２は本発明の実施の形態１の人工肛門用パウチ内袋の種類を示す斜視図である。図３は本発明の実施の形態１の人工肛門用パウチ内袋の使用状態を示す正面中央縦断面図である。また、図４は本発明の実施の形態１の人工肛門用パウチ内袋の使用状態を示す要部正面中央縦断面図で、図５は本発明の実施の形態２の図４に相当する人工肛門用パウチ内袋の使用状態を示す要部正面中央縦断面図である。
【００２３】
図１乃至図４において、腸に接続したフランジ部４１を有する管状の人工肛門４０は、人体４５に埋設されたものである。人体４５外にフランジ部４１と中央に突出した管部４２を有している。
【００２４】
人体４５外に形成されたフランジ部４１と中央に突出した管部４２を使用して、合成樹脂または天然・合成ゴム製の袋状の人工肛門用パウチ３０が接続される。フランジ部４１には、人工肛門用パウチ３０のカップリング３１を嵌め込み、フランジ部４１と当該カップリング３１とを機械的に接合し、管部４２から排出される排泄物が漏れないようにしている。フランジ部４１とカップリング３１との機械的接合は、機械的に係合を行うもの、接着剤による接合を行うもの等が公知であるから、その詳細な説明を省略する。この実施の形態で使用されている合成樹脂または天然・合成ゴム製の袋状の人工肛門用パウチ３０は、下端部３４のみが開放されていて、下部３３を折り曲げてクランプ５０で押圧して封止している。当然、人工肛門用パウチ内袋１０の出し入れは、下端部３４から行うことになる。
【００２５】
本実施の形態の人工肛門４０に取付けて直接排泄物を溜める紙製の人工肛門用パウチ内袋１０は、前述したように、公知の人工肛門に取付けて排泄物を収容する袋状の人工肛門用パウチ３０に収容される。人工肛門用パウチ内袋１０は、全体を紙で袋状に形成されると共に、少なくとも８時間以上、排泄物に含まれる液体成分が染みだすことのないようにした本体部１１と、人工肛門用パウチ３０内の人工肛門４０に挿入され、本体部１１に形成した開口部１２と、開口部１２の周囲に環状に形成し、その一部のみを取付け及び取外しが容易なように、大径（突出）としてなる接着層１３とを具備するものである。
【００２６】
人工肛門用パウチ内袋１０は、澱粉のり等の自然物からなる接着剤をバインダーとして抄紙した紙を使用したものか、或いは当該バインダーを紙に浸漬したもの、紙の内面または外面に当該バインダーをコーティングしたものとして使用するものであり、全体を袋状に空間が形成できるようにしている。本発明を実施する場合のバインターとしては、自然物からなる接着剤に限定されるものではなく、皮膚に刺激が加わらない材料であればよい。特に、このバインダーは、少なくとも８時間以上、排泄物から液体成分が染みだすことのないようにしたものであり、かつ、水中に入れることによって分解され繊維に戻る水溶性材料であればよい。紙は、汚泥処理を考慮することから、植物繊維（セルロース）を多く使用したシートであることが望ましい。
【００２７】
この袋状とは、図２に示すように、同一形状の物を２枚重ねたもの（図２（ａ））、或いは立体的空間を形成するように裁断及び接合したもの（図２（ｃ））とすることができる。勿論、同一形状の物を２枚重ねし、その接合部を内側に折曲することにより、立体的に近似したもの（図２（ｂ））とすることができる。
勿論、接合前または接合後に加圧成形して凸状として形成してもよい。
【００２８】
即ち、図２（ａ）は開口部１２を形成した側の表紙１とその反対側の裏紙２の外周の輪郭６を同一とし、かつ、外周の輪郭６に沿って接合したものである。図２（ｂ）は、図２（ａ）と同様、開口部１２を形成した側の表紙１とその反対側の裏紙２の外周の輪郭６を同一とし、かつ、外周の輪郭６に沿って接合し、その後、対向する側４を内側に折曲して直線辺５を形成したものである。図２（ｃ）は、開口部１２を形成した側の表紙１とその反対側の裏紙２の外周の輪郭６を同一とし、かつ、外周の輪郭６に沿って長さ方向に直角の断面中央で折曲した幅紙３を接合したものである。図２（ｂ）及び図２（ｃ）の実施の形態の人工肛門４０に取付けて直接排泄物を溜める紙製の人工肛門用パウチ内袋１０は、排泄物の収納が、排出圧が小さくても容易にできる。即ち、図２（ｂ）及び図２（ｃ）の実施の形態の人工肛門用パウチ内袋１０は、全体を紙で袋状に形成した本体部１１に、その厚み方向に変位可能なように内側に織り込むことにより、折り畳み代を形成したものであるから、図示のように、人工肛門用パウチ３０内の人工肛門４０の管部４２に挿入される開口部１２は、全体を紙で袋状に形成した本体部１１の中央よりも上方向に配設するのが好ましいが、結果的に、合成樹脂または天然・合成ゴム製の袋状の人工肛門用パウチ３０に収容できるようになればよい。
特に、中央よりも上方向に配設する場合は、本体部１１内に排泄物が溜まっても安定した状態が維持でき、かつ、本体部１１内の上部に図示しない脱臭剤を接合して入れておくことにより、脱臭効果を得ることができる。また、人工肛門用パウチ３０内の上部に図示しない脱臭剤を接合して入れておくことにより、同様に、係属した脱臭効果を得ることができ、しかも、内袋１０の複数回の取替え使用に対応することができる。
【００２９】
特に、本体部１１の中央部から上に１／５の位置の範囲内に開口部１２を形成したものでは、人工肛門用パウチ内袋１０が最も膨らみやすくなり、容易に排泄物を収容できる。
【００３０】
また、開口部１２の周囲に環状に形成した接着層１３は、人工肛門用パウチ３０のフランジ部４１の内側から接合することにより、或いは、人工肛門用パウチ３０のカップリング３１の内側に密着性をよくするように接合することで、空気及び／または排泄物の漏れをなくすことができる。この接着層１３は、常に粘着性を有する合成糊を使用したが、皮膚保護材としてのカラヤゴム（ＫＧ系）、スイスロール（ＣＰＢ系）等の使用が好適である。何れにせよ、水溶性を維持できる程度の仕様となる。
【００３１】
このように、本実施の形態は、人工肛門４０に取付けて排泄物を収容する合成樹脂または天然・合成ゴム製の袋状の人工肛門用パウチ３０に収容され、人工肛門４０に取付けて直接排泄物を溜める紙製の人工肛門用パウチ内袋１０において、人工肛門用パウチ内袋１０は、全体を紙で袋状に形成すると共に、排泄物の液体成分が少なくとも８時間以上染みだすことのないようにした本体部１１と、人工肛門用パウチ３０内の人工肛門４０の管部４２に挿入される本体部１１に形成した開口部１２と、開口部１２の周囲に環状に形成した蛋白質性の接着層１３とを具備するものである。
【００３２】
したがって、合成樹脂または天然・合成ゴム製の袋状の人工肛門用パウチ３０の内側に、直接排泄物を溜める紙製の人工肛門用パウチ内袋１０を設けたものであるから、高価な合成樹脂または天然・合成ゴム製の袋状の人工肛門用パウチ３０を取替える回数を少なくして、紙製の人工肛門用パウチ内袋１０のみの取替えで、清潔感を保つことができる。また、取替えた紙製の人工肛門用パウチ内袋１０は、排泄物の液体成分ではバインダー成分が十分に溶かされないので、８時間以上染みだすことのないものであり、かつ、水洗便所に流したとき、大量の水で解かされて繊維に分解されものであるから、通常の水洗便所に廃棄が可能となる。
【００３３】
ところで、本発明を実施する場合の本体部１１は、全体を紙で袋状に形成すると共に、少なくとも排泄物の液体成分が８時間以上染みだすことのないようにしたものであればよく、特に、本体部１１は大量の水によって分解され繊維に戻るものであり、かつ、紙は植物繊維を多く使用したシートであることが望ましい。
【００３４】
例えば、本体部１１は少量の水分では、紙の繊維が分解せず、大量の水によってのみ繊維が分解される水溶性のバインダーとすることが望ましい。特に、本実施の形態では、澱粉糊等をバインダーとしており、下水処理の支障（大きな負荷）にならない。澱粉糊等は、少ない水分では繊維が分解されないが、水分が多いとコロイド状を呈し、水溶性となるので、水洗便所等に流す場合に好適である。
【００３５】
また、本発明を実施する場合の本体部１１に形成した開口部１２は、人工肛門用パウチ３０内の人工肛門４０の管部４２に挿入され、中央よりも上方向に配設するのが好ましいが、結果的に、合成樹脂または天然・合成ゴム製の袋状の人工肛門用パウチ３０に収容できるものであればよい。即ち、本体部１１に形成する開口部１２は、上部であればあるほど排泄物を収容したとき安定するが、本体部１１の中央であっても使用に何等支障がない。
【００３６】
そして、本体部１１に形成する開口部１２の周囲に環状に形成した接着層１３は、合成樹脂または天然・合成ゴム製の袋状の人工肛門用パウチ３０内側で接合することにより、人工肛門用パウチ３０との密着性をよくし、人工肛門用パウチ３０と人工肛門用パウチ内袋１０との間から臭気及び排泄物の漏れをなくすことができる。
【００３７】
好ましくは、図４に示すように、人工肛門用パウチ３０のカップリング３１を人工肛門４０のフランジ部４１に接合させる。このとき、カップリング３１の内径よりも人工肛門用パウチ３０の開口部３２の径を大きくし、人工肛門用パウチ３０の開口部３２側からカップリング３１の内径が露出するようにする。人工肛門用パウチ内袋１０の開口部１２と接着層１３との内径をカップリング３１の内径と同一とする。このように構成することにより、人工肛門用パウチ３０の開口部３２は人工肛門用パウチ３０の本体に堅固に接合されており、臭気等の漏れは生じ得ない。また、人工肛門用パウチ内袋１０の接着層１３は、人工肛門用パウチ３０のカップリング３１の裏面側に接着され、しかも、カップリング３１の裏面側は、堅固な板状を呈しているから接着を確実に行うことができる。
【００３８】
このように、本実施の形態の人工肛門用パウチ内袋１０は、合成樹脂または天然・合成ゴム製の袋状の人工肛門用パウチ３０の内側に、直接、排泄物を溜める紙製の人工肛門用パウチ内袋１０を設けたものであるから、高価な合成樹脂または天然・合成ゴム製の袋状の人工肛門用パウチ３０を取替える回数を少なくして、紙製の人工肛門用パウチ内袋１０のみの取替えで、清潔感を保つことができる。また、取替えた紙製の人工肛門用パウチ内袋１０は、排泄物中の水分程度では８時間以上染みだすことのないようにし、かつ、水洗便所に流したとき、大量の水で解かされて繊維に分解されるから、通常の廃棄が可能となる。
【００３９】
ところで、上記実施の形態では、人工肛門用パウチ内袋１０の開口部１２の周囲に接着層１３を設ける事例について説明したが、本発明を実施する場合には、図５に示すように、人工肛門用パウチ内袋１０の開口部１２を合成樹脂または天然・合成ゴム製の袋状の人工肛門用パウチ３０のカップリング３５で固着することもできる。
【００４０】
図５において、人工肛門用パウチ３０のカップリング３５を人工肛門４０のフランジ部４１の周囲に形成した係合部４６に係合させる。このとき、係合部４６の内径よりも人工肛門用パウチ３０のカップリング３５の外径が若干大きく形成されているから、人工肛門用パウチ３０のカップリング３５を人工肛門４０のフランジ部４１側に強く押圧することにより、フランジ部４１の周囲に形成した係合部４６に係合する。この人工肛門用パウチ３０のカップリング３５と人工肛門４０のフランジ部４１との係合は回動を行うことによって係合させてもよい。
【００４１】
このように、本発明を実施する場合の本体部１１に形成した開口部１８は、人工肛門用パウチ３０内の人工肛門４０の管部４２に挿入され、その開口部１８の外側を中央よりも上方向に配設するのが好ましいが、結果的に、合成樹脂または天然・合成ゴム製の袋状の人工肛門用パウチ３０に収容できるものであればよい。即ち、本体部１１に形成する開口部１２は、上部であればあるほど排泄物を収容したとき安定するが、本体部１１の中央であっても使用に何等支障がない。
【００４２】
カップリング３５と人工肛門４０のフランジ部４１とを係合させる前に、人工肛門用パウチ内袋１０の開口部１８をカップリング３５の外側に出しておく。
【００４３】
この実施の形態の人工肛門用パウチ内袋１０の開口部１８は、人工肛門用パウチ内袋１０を形成する前の開口部１８の打ち抜きの際に、プレス加工によって、引伸ばし及び拡径加工を行ったものであり、その後、バインダーを含浸させ、端部の機械的強度を強化させている。
【００４４】
したがって、人工肛門用パウチ内袋１０の開口部１８を変形させて、人工肛門用パウチ３０のカップリング３５に通し、再度、開口部１８を本来の形状に戻すことで、開口部１８の外周がカップリング３５の内周から容易に離脱できなくなる。
【００４５】
そこで、本発明を実施する場合の本体部１１に形成した開口部１８は、人工肛門４０の管部４２に挿入される。人工肛門用パウチ３０内の人工肛門４０の管部４２に挿入された状態で、本体部１１に形成した開口部１８は、管部４２によって径を小さくすることができなくなるから、カップリング３５の内周からより離脱できなくなる。更に、人工肛門用パウチ３０のカップリング３５と人工肛門４０のフランジ部４１との間で開口部１８を挟んだまま、人工肛門用パウチ３０のカップリング３５と人工肛門４０のフランジ部４１の周囲に形成した係合部４６に係合させることにより、人工肛門用パウチ３０との密着性をよくし、人工肛門用パウチ３０と人工肛門用パウチ内袋１０との間から臭気及び排泄物の漏れをなくすことができる。
【００４６】
このように、本実施の形態２の人工肛門用パウチ内袋１０は、人工肛門４０に取付けて排泄物を収容する合成樹脂または天然・合成ゴム製の袋状の人工肛門用パウチ３０に収容され、人工肛門４０に取付けて直接排泄物を溜める紙製の人工肛門用パウチ内袋１０において、人工肛門用パウチ内袋１０は、全体を紙で袋状に形成すると共に、排泄物の液体成分が少なくとも８時間以上染みだすことのないようにした本体部１１と、人工肛門用パウチ３０内の人工肛門４０の管部４２に挿入される本体部１１に形成した開口部１２とを具備するものである。
【００４７】
したがって、合成樹脂または天然・合成ゴム製の袋状の人工肛門用パウチ３０の内側に、直接排泄物を溜める紙製の人工肛門用パウチ内袋１０を設けたものであるから、高価な合成樹脂または天然・合成ゴム製の袋状の人工肛門用パウチ３０を取替える回数を少なくして、紙製の人工肛門用パウチ内袋１０のみの取替えで、清潔感を保つことができる。また、取替えた紙製の人工肛門用パウチ内袋１０は、排泄物の液体成分ではバインダー成分が十分に溶かされないので、８時間以上染みだすことのないものであり、かつ、水洗便所に流したとき、大量の水で解かされて繊維に分解されものであるから、通常の水洗便所に廃棄が可能となる。
【００４８】
ところで、上記実施の形態の全体を紙で袋状に形成した本体部１１は、水溶性バインダーを用いて抄いた紙を使用してもよいし、紙面に対して水溶性バインダーをコーティングして形成してもよい。即ち、全体を紙で袋状に形成した本体部１１は、水溶性バインダーを用いて抄紙したものでは、本来、水溶性であるが、排泄物の通常の水分では、水溶性の特性がでないまま、８時間以上排泄物の水分によって溶解されないように耐えるものであればよい。勿論、１２時間または２４時間耐えるものであればより効果的である。紙面に対して水溶性バインダーをコーティングする場合には、水溶性バインダーを用いて抄いた紙に更に、コーティングしてもよいし、コーティングのみとすることもできる。また、コーティング面を内側または外側の面とすることもできる。この面のコーティングは、バインダーの種類によって決定できる。
【００４９】
また、上記実施の形態の紙製の人工肛門用パウチ内袋１０は、全体を紙で袋状に形成した本体部１１は、水溶性バインダーを用いたものであるから、同時に、脱臭剤を混入したり付着した紙とすることができる。そして、上部１／１０以上の範囲を紙面に対してバインダーがコーティングしてない範囲を作成し、通気をよくすることもできる。この場合には、合成樹脂または天然・合成ゴム製の袋状の人工肛門用パウチ３０内に脱臭剤を入れるのが好適である。
【００５０】
そして、上記実施の形態の紙製の人工肛門用パウチ内袋１０は、全体を紙で袋状に形成した本体部１１は、開口部１２，１８以外に開放部分を有していないことから、取扱いに不慣れな者でも、取扱い中に排泄物をもらすことがない。
【００５１】
更に、上記実施の形態の紙製の人工肛門用パウチ内袋１０は、人工肛門用パウチ内袋１０の出し入れを人工肛門用パウチ３０の下端部３４から行っているが、この交換の仕方は現在の人工肛門用パウチ３０の使用方法に基づいたものである。しかし、本発明を実施する場合には、人工肛門用パウチ内袋１０の出し入れを人工肛門用パウチ３０の上部から行うほうが、その接続状態の確認が容易であり、かつ、不慣れな人でも容易になれることができる。また、下部が人工肛門用パウチ３０によって封止されていると、安心感があり、気分的にも装着が楽になる。勿論、上部及び下部を開放自在とすることもできる。
【００５２】
更にまた、上記実施の形態の紙製の人工肛門用パウチ内袋１０は、表裏の紙を多層化した複合体とすることもできる。当然、多層化した紙相互間には、防臭剤及び防菌剤を入れることもできる。この場合には、高価になるが水溶性を高くでき、分解性能も一段と向上する。特に、層毎に異なった特性を持たせることができるので、防臭剤、防菌剤、水溶性の特性を調整及び任意に設定できる。
【００５３】
加えて、上記実施例の人工肛門用パウチ内袋は、腸に接続したフランジ部４１を有する管状の人工肛門４０として人体４５に埋設し、人体４５外にフランジ部４１と中央に突出した管部４２を有するストーマを前提に説明したが、本発明を実施する場合には、人体４５外にフランジ部４１と中央に突出した管部４２が設けられていないものにも使用できる。即ち、上記実施例で説明したストーマが、ベースバリアに置き換えられるだけで、従来のパウチのロック機構が使用できれば、その内袋として取付けられ、排泄物が漏れ出さない構造であればよい。
【００５４】
【発明の効果】
以上のように、請求項１における人工肛門用パウチ内袋は、人工肛門に取付けて排泄物を収容する合成樹脂または天然・合成ゴム製の袋状の人工肛門用パウチに収容され、人工肛門に取付けて直接排泄物を溜める紙製の人工肛門用パウチ内袋において、前記人工肛門用パウチ内袋は、全体を紙で袋状に形成すると共に、少なくとも８時間以上排泄物の液体成分が染みだすことのないようにした本体部と、前記人工肛門用パウチ内の人工肛門に挿入され、前記本体部に形成した開口部とを具備するものである。
【００５５】
したがって、合成樹脂または天然・合成ゴム製の袋状の人工肛門用パウチ内側に、直接排泄物を溜める紙製の人工肛門用パウチ内袋を設けたものであるから、高価な合成樹脂または天然・合成ゴム製の袋状の人工肛門用パウチを取替える回数を少なくして、紙製の人工肛門用パウチ内袋のみの取替えで、清潔感を保つことができる。また、取替えた紙製の人工肛門用パウチ内袋は、８時間以上排泄物の液体成分が染みだすことのないようにし、水洗便所に流したとき、大量の水で解かされて繊維に分解されるから、通常の廃棄が可能となる。
【００５６】
請求項２における人工肛門用パウチ内袋は、人工肛門に取付けて排泄物を収容する合成樹脂または天然・合成ゴム製の袋状の人工肛門用パウチに収容され、人工肛門に取付けて直接排泄物を溜める紙製の人工肛門用パウチ内袋において、前記人工肛門用パウチ内袋は、全体を紙で袋状に形成すると共に、少なくとも８時間以上排泄物の液体成分が染みだすことのないようにした本体部と、前記人工肛門用パウチ内の人工肛門に挿入され、前記本体部に形成した開口部と、前記開口部の周囲に環状に形成した接着層とを具備するものである。
【００５７】
したがって、合成樹脂または天然・合成ゴム製の袋状の人工肛門用パウチ内側に、直接排泄物を溜める紙製の人工肛門用パウチ内袋を設けたものであるから、高価な合成樹脂または天然・合成ゴム製の袋状の人工肛門用パウチを取替える回数を少なくして、紙製の人工肛門用パウチ内袋のみの取替えで、清潔感を保つことができる。また、取替えた紙製の人工肛門用パウチ内袋は、８時間以上排泄物の液体成分が染みだすことのないようにし、水洗便所に流したとき、大量の水で解かされて繊維に分解されるから、通常の廃棄が可能となる。
【００５８】
請求項３の発明にかかる人工肛門用パウチ内袋の前記人工肛門に挿入される前記本体部に形成した開口部は、本体部の中央部から上に１／５の位置の範囲内に形成したものであるから、請求項１または請求項２の効果に加えて、人工肛門用パウチ内袋が最も膨らみやすくなり、容易に排泄物を収容できる。
【００５９】
請求項４の発明にかかる人工肛門用パウチ内袋の前記全体を紙で袋状に形成した本体部は、その厚み方向に変位可能なように折り畳み代を形成したものであるから、請求項１乃至請求項３の何れか１つに記載の効果に加えて、本来の形が立体形状であり、人工肛門用パウチ内袋が膨らみやすくなり、容易に排泄物を収容できる。
【００６０】
請求項５の発明にかかる人工肛門用パウチ内袋の前記全体を紙で袋状に形成した本体部は、水溶性バインダーを用いて抄いた紙を使用したものであるから、請求項１乃至請求項４のいずれか１つに記載の効果に加えて、排泄物の水分では溶解しないが、大量の水で溶解され、下水に流すことができる。
【００６１】
請求項６の発明にかかる人工肛門用パウチ内袋の前記全体を紙で袋状に形成した本体部は、紙面に対してバインダーをコーティングしてなるものであるから、請求項１乃至請求項５のいずれか１つに記載の効果に加えて、水分量が多いと解けて流れ、繊維成分に分解されるから水洗便所に流したとき、通常のトイレ紙と同様に処理できる。
【００６２】
請求項７の発明にかかる人工肛門用パウチ内袋の前記全体を紙で袋状に形成した本体部は、上部１／１０以上の範囲を紙面に対してコーティングしてないものであるから、請求項６に記載の効果に加えて、ガス抜きが自然な状態で形成することができる。
【００６３】
請求項８の発明にかかる人工肛門用パウチ内袋の全体を紙で袋状に形成した本体部は、前記開口部以外に開放部分を有していないから、請求項１乃至請求項７のいずれか１つに記載の効果に加えて、取扱いに不慣れな者でも合成樹脂または天然・合成ゴム製の袋状の人工肛門用パウチからの取出しを確実に行うことができる。
【００６４】
請求項９の発明にかかる人工肛門用パウチ内袋の全体を紙で袋状に形成した本体部は、防臭機能を有するものであるから、請求項１乃至請求項８のいずれか１つに記載の効果に加えて、自己及び第三者に不快感を与えることがない。
【００６５】
請求項１０の発明にかかる人工肛門用パウチ内袋の全体を紙で袋状に形成した本体部は、多層紙で形成したものであるから、請求項１乃至請求項９のいずれか１つに記載の効果に加えて、層毎に特性を強化できるから防臭性及び水溶性の特性をよくすることができる。
【図面の簡単な説明】
【図１】図１は本発明の実施の形態１の人工肛門用パウチ内袋の正面図である。
【図２】図２は本発明の実施の形態１の人工肛門用パウチ内袋の種類を示す斜視図である。
【図３】図３は本発明の実施の形態１の人工肛門用パウチ内袋の使用状態を示す正面中央縦断面図である。
【図４】図４は本発明の実施の形態１の人工肛門用パウチ内袋の使用状態を示す要部正面中央縦断面図である。
【図５】図５は本発明の実施の形態２の図４に相当する人工肛門用パウチ内袋の使用状態を示す要部正面中央縦断面図である。
【符号の説明】
１０    人工肛門用パウチ内袋
１１    本体部
１２    開口部
１３    接着層
３０    人工肛門用パウチ
４０    人工肛門
４２    管部
【図１】
2004215913.tif 000003
【図２】
2004215913.tif 000004
【図３】
2004215913.tif 000005
【図４】
2004215913.tif 000006
【図５】
2004215913.tif 000007